(57)【要約】【課題】除液ユニットの弾性吸水ロール側に付着した汚れを自動的に洗い落とすことができるロール付着汚れの自動洗い落とし装置の提供。【解決手段】コイン洗浄装置が備える除液ユニット３１を取り外して洗浄液Ｌ内に定置する洗浄ボックス１１と、該洗浄ボックス１１の上面開口部１１ａを開閉自在に覆う上面カバー２１とで構成され、除液ユニット３１が備える一対の弾性吸水ロール３７，３７は上面カバー２１が備える一対の硬質ロール２５，２５と、その斜め下方に位置する一対の弾性吸水ロール３８，３８は、洗浄ボックス１１が備える一対の硬質ロール１７，１７とそれぞれ圧接させながら強制回転させることで、付着汚れを自動的に洗い落とす。【選択図】図２
0003135180.tif 000002
【実用新案登録請求の範囲】
【請求項１】
コイン洗浄装置が洗浄後のコインの付着液滴を除去するためにその着脱を自在に備える除液ユニットを取り外して洗浄液内に定置する洗浄ボックスと、
該洗浄ボックスの上面開口部を開閉自在に覆う上面カバーとで構成され、
前記除液ユニットには、少なくとも定置時に上方にて横並びとなって相互に弾接する一対の弾性吸水ロールと、その斜め下方にて横並びとなって相互に弾接する一対の弾性吸水ロールとのそれぞれが同時回転を自在に配設され、
前記洗浄ボックスは、前記除液ユニットを定置した際に下方に位置する一対の前記弾性吸水ロールの長さ方向での下面側を下支えするように各別に圧接する一対の硬質ロールを備え、
前記上面カバーには、その施蓋時に上方に位置する一対の前記弾性吸水ロールの長さ方向での上面側を各別に押し込む一対の硬質ロールと、上方に位置するいずれか一方の前記弾性吸水ロールの支軸に軸着された従動歯車と噛合して従動回転させる駆動歯車を備えるモータとを具備させたことを特徴とするロール付着汚れの自動洗い落とし装置。
【請求項２】
前記弾性吸水ロールの外径と前記硬質ロールの外径とは、非同一である請求項１に記載のロール付着汚れの自動洗い落とし装置。
【考案の詳細な説明】
【技術分野】
【０００１】
本考案は、スロットマシンなどのゲーム機で使用されたゲーム用のコインを洗浄するコイン洗浄装置が洗浄後のコインから液滴を絞り取るためにその最終工程に備える除液ユニットのロール側に付着してしまった汚れを自動的に洗い落とすことができるロール付着汚れの自動洗い落とし装置に関する技術である。
【背景技術】
【０００２】
スロットマシンなどのゲーム機で繰り返し用いられたゲーム用のコインには、手垢などの油脂性の汚れが付着してしまうので、遊技者の手指を汚して不快にさせる。このため、この種のコインは、汚れを落とす必要があり、そのための装置としては、例えば下記特許文献１に開示されている「コイン等の洗浄方法と洗浄装置、及び洗浄システム」がある。
【特許文献１】特開平１１−２９６７１４号公報
【０００３】
そして、上記洗浄装置は、吸水性を有する弾性部材を周面に備えた湿潤状態にある一対の吸水ロール同士の周面を互いに押圧されるように配置された洗浄乾燥機構を備えており、これらの吸水ロールの間にはコインが進入するように構成されている。
【０００４】
しかも、これら一対の吸水ロールのうちの上側に位置する吸水ロールの上方には、弾性部材をその周面に備える搬出ロールが配置されて、その相互間には一対の吸水ロールを経たコインが進入できるように構成されている。
【０００５】
このため、上記洗浄装置によれば、コインが洗浄乾燥機構における一対の吸水ロール相互間を通過する際に、それぞれの弾性部材からしみ出た洗浄液によりその表裏を同時に洗浄することができることになる。
【０００６】
しかも、一対の吸水ロールは、その押圧力が開放されると弾性部材がもとの状態に復帰することから、その際にコインの表裏に付着している洗浄液を吸着して乾燥した状態とすることができる。
【０００７】
この後、コインは、上側に位置する吸水ロールと搬出ロールとの間に進入していき吸水ロールの周面と搬出ロールの周面によってしごかれる結果、洗浄効果をより高めることもできることになる。
【考案の開示】
【考案が解決しようとする課題】
【０００８】
しかし、上記洗浄装置による場合には、洗浄を続けるにつれて一対の吸水ロールが周面に備える弾性部材と、搬出ロールがその周面に備える弾性部材とに汚れが次第にしみこんで洗浄効果や乾燥効果が低下してしまう不都合があった。
【０００９】
このため、一対の吸水ロールや搬出ロールに付着した汚れは、手作業によりこれを洗い落とさなければならず、そのための作業が非常に煩雑になってしまう不具合があった。
【００１０】
本考案は、従来技術の上記課題に鑑み、除液ユニットを構成する弾性吸水ロール側に付着した汚れを手作業によることなく自動的に洗い落とすことができるロール付着汚れの自動洗い落とし装置を提供することを目的とする。
【課題を解決するための手段】
【００１１】
本考案は、上記目的を達成すべくなされたものであり、コイン洗浄装置が洗浄後のコインの付着液滴を除去するためにその着脱を自在に備える除液ユニットを取り外して洗浄液内に定置する洗浄ボックスと、該洗浄ボックスの上面開口部を開閉自在に覆う上面カバーとで構成され、前記除液ユニットには、少なくとも定置時に上方にて横並びとなって相互に弾接する一対の弾性吸水ロールと、その斜め下方にて横並びとなって相互に弾接する一対の弾性吸水ロールとのそれぞれが同時回転を自在に配設され、前記洗浄ボックスは、前記除液ユニットを定置した際に下方に位置する一対の前記弾性吸水ロールの長さ方向での下面側を下支えするように各別に圧接する一対の硬質ロールを備え、前記上面カバーには、その施蓋時に上方に位置する一対の前記弾性吸水ロールの長さ方向での上面側を各別に押し込む一対の硬質ロールと、上方に位置するいずれか一方の前記弾性吸水ロールの支軸に軸着された従動歯車と噛合して従動回転させる駆動歯車を備えるモータとを具備させたことを最も主要な特徴とする。
【００１２】
この場合、前記弾性吸水ロールの外径と前記硬質ロールの外径とは、非同一とするのが好ましい。
【考案の効果】
【００１３】
請求項１の考案によれば、洗浄ボックスの洗浄液中に定置された各弾性吸水ロールのそれぞれは、対応配置されている各硬質ロールと各別に圧接させながら強制回転させることで、付着されている汚れを自動的に洗浄除去することができる。
【００１４】
請求項２の考案によれば、弾性吸水ロールと硬質ロールとは、非同一の外径が付与されて形成されているので、その回転時に異なる位置に圧接させることができるので、弾性吸水ロールに付着されている汚れをより確実に自動的に洗浄除去することができる。
【考案を実施するための最良の形態】
【００１５】
図１は、本考案の一例につき、除液ユニットを定置させる際の相互の位置関係を左側斜め上方から示す斜視図である。図２は、図１の状態を反対側（右側）から見た際の状態を一部を省略して示す縦断面図である。図３は、除液ユニットを定置させた際の状態を図２に対応させて示す縦断面図であり、図４は、施蓋時の全体形状を一部を切り欠いて示す正面図である。
【００１６】
これらの図によれば、装置の全体は、図示しないコイン洗浄装置が洗浄後のコインの付着液滴を除去するためにその着脱を自在に備える除液ユニット３１を取り外して図３に示すように所定の液面高さＬＨを維持させた洗浄液Ｌ内に定置する洗浄ボックス１１と、該洗浄ボックス１１の上面開口部１１ａを開閉自在に覆う上面カバー２１とで構成されている。
【００１７】
この場合、除液ユニット３１は、定置時に上方にて横並びとなって相互に弾接するスポンジロールなどからなる一対の弾性吸水ロール３７，３７と、その斜め下方にて横並びとなって相互に弾接するスポンジロールなどからなる一対の弾性吸水ロール３８，３８とのそれぞれが同時回転を自在に配設されている。、
【００１８】
これをより具体的に説明すれば、洗浄ボックス１１内に定置させる際の除液ユニット３１は、左右一対の垂直板３２，３２における上側に位置する垂直板３２，３２相互間には各支軸３５を介して一対の弾性吸水ロール３７，３７を、下側に位置する垂直板３２，３２相互間には各支軸３６を介して一対の弾性吸水ロール３８，３８をそれぞれ回転自在に軸支させることで形成されている。
【００１９】
しかも、上方に位置する一方の弾性吸水ロール３７は、支軸３５に固着された従動歯車４０を備え、弾性吸水ロール３７の斜め下方に位置する一方の弾性吸水ロール３８は、支軸３６に固着された従動歯車４１を備えている。しかも、これらの従動歯車４０，４１は、介在させた遊び歯車４２と各別に噛合して同方向への回転が自在となっている。
【００２０】
つまり、一対の弾性吸水ロール３７，３７と一対の弾性吸水ロール３８，３８とのそれぞれは、図３に示されているように内側に巻き込むようにして同時回転させることができるようになっている。なお、図２中の符号４３は、図示しないコイン洗浄装置により洗浄処理されたコインの付着液滴を掻き落とすための各スキージーロールを、４４は、コインの落下を防止して次工程へと引き渡すためのガイド板をそれぞれ示す。
【００２１】
また、各垂直板３２は、図１および図２に示すように、洗浄ボックス１１の前面  側に直面する端面が垂直な前端ガイド部３３として、その反対側に位置する最先端面も同様に垂直な後端ガイド部３４として形成されている。なお、垂直板３２，３２相互間には、連結杆３９を架け渡すことで全体強度を高めてある。
【００２２】
一方、このような構造を備える除液ユニット３１を図示しないコイン洗浄装置から取り外して図３に示すように洗浄液Ｌ内に定置する洗浄ボックス１１は、略立方体形状を呈して形成されたボックス本体部１２と、該ボックス本体部１２内に除液ユニット３１の定置を自在に位置固定された囲壁部１３とを備えて形成されている。
【００２３】
この場合、囲壁部１３内には、除液ユニット３１における前端ガイド部３３が差し込まれる垂直前溝部１４と、後端ガイド部３４が差し込まれる垂直後溝部１５とが形成されている。
【００２４】
また、囲壁部１３の左右方向には、除液ユニット３１における垂直板３２，３２を深さ方向で位置規制しながらその下端面３２ａを下支えする支杆１６が架け渡されており、該支杆１６と垂直前溝部１４と垂直後溝部１５とを介して除液ユニット３１を定置することができるようになっている。
【００２５】
しかも、囲壁部１３の左右方向には、除液ユニット３１を定置した際に下方に位置する一対の弾性吸水ロール３８，３８の長さ方向での下面側を下支えしながら各別に２ｍｍ程度食い込むようにして圧接する例えば合成樹脂材やジュラルミンなどの金属材などからなる一対の硬質ロール１７，１７が配設されている。
【００２６】
該硬質ロール１７は、その外径が弾性吸水ロール３８の外径よりも小径となって形成されており、これによりに該弾性吸水ロール３８との接触位置をずらしながら圧接させることができることになる。
【００２７】
また、硬質ロール１７の周面には、その回転方向とは交差もしくは直交する方向に多数条の溝１８が刻入されており、これらの溝１８を繰り返し弾性吸水ロール３８側に圧接させることで、手もみ洗いにも似た洗浄力を発揮させることができることになる。なお、囲壁部１３のやや下方には、前傾させた底板部１９が配設されており、該底板部１９を介して流下する洗浄液Ｌは、ノズル２０を介して外部へと排出できるようになっている。また、ボックス本体部１２の正面側には、内部を観察することができるのぞき窓５１が形成されている。さらに、洗浄ボックス１１内には、洗浄液Ｌを４０〜５５℃程度に加温するための図示しないヒータを配設しておくこともできる。
【００２８】
上面カバー２１は、図３および図４からも明らかなように洗浄ボックス１１の上面開口部１１ａを開閉自在に覆う支台部２３と、該支台部２３上に設置されたモータ２７を覆って支台部２３側と一体的に連結されるカバー本体部２２とで構成されている。なお、図中の符号５２はヒンジを、５３は把手を、５４は止着具をそれぞれ示す。
【００２９】
また、支台部２３の下面側には、図１からも明らかなように一対の垂下板２４，２４が垂設されており、これらの垂下板２４，２４相互間には、その施蓋時に上方に位置する一対の弾性吸水ロール３７，３７の長さ方向での上面側を各別に２ｍｍ程度押し込むようにして圧接する例えば合成樹脂材やジュラルミンなどの金属材などからなる一対の硬質ロール２５，２５が配設されている。  
【００３０】
該硬質ロール２５は、その外径が弾性吸水ロール３７の外径よりも小径となって形成されており、これによりに該弾性吸水ロール３７との接触位置をずらしながら圧接させることができることになる。
【００３１】
また、硬質ロール２６の周面には、その回転方向とは交差もしくは直交する方向に多数条の溝２７が刻入されており、これらの溝２７を繰り返し弾性吸水ロール３７側に圧接させることで、手もみ洗いにも似た洗浄力を発揮させることができることになる。
【００３２】
さらに、モータ２７の回転軸２８には、駆動歯車２９が固着されており、該駆動歯車２９には、支台部２３側に軸支された大径歯車３０が噛合配置されている。この場合、大径歯車３０は、その施蓋時に弾性吸水ロール３７が備える従動歯車４０と噛合する配置関係のもとで配設されることになる。
【００３３】
また、上面カバー２１は、洗浄ボックス１１との間に油圧アッパー５５を介在させることで、その重量を支えながら緩やかに施蓋できるように配置されている。
【００３４】
次に、本考案の作用・効果を図示例に基づいて説明すれば、洗浄ボックス１１内の囲壁部１３が備える垂直前溝部１４には除液ユニット３１の前端ガイド部３３を、垂直後溝部１５内には後端ガイド部３４を、それぞれ図２に示すように差し込みながら送り込む。
【００３５】
送り込まれた除液ユニット３１は、図３に示すようにその垂直板３２の下端面３２ａが当接してその動きを止め、この状態のもとで洗浄ボックス１１内に定置されることになる。このとき、除液ユニット３１が備える弾性吸水ロール３８は、硬質ロール１７と圧接して２ｍｍ程度押し込まれることになる。
【００３６】
このよう状態のもとで除液ユニット３１を洗浄ボックス１１内に定置した際には、図３からも明らかなように、ボックス本体部１２内に洗浄液Ｌが所定の液面高さＬＨまで供給される。この場合、洗浄ボックス１１内に図示しないヒータを配設しておくならば、洗浄液Ｌをより洗浄効果の高い４０〜５５℃程度にまで加温して洗浄することができる。
【００３７】
洗浄ボックス１１内に洗浄液Ｌを供給した後は、カバー本体部２２と支台部２３とを一体化させてなる上面カバー２１を引き下げてその上面開口部１１ａを覆う。このとき、上面カバー２１は、油圧アッパー５５により支持されているので、比較的重量があってもこれを支えながら緩やかに施蓋することができることになる。
【００３８】
このようにして施蓋した後は、止着具５４を止着することで、洗浄ボックス１１に対する上面カバー２１の施蓋状態を確実なものとすることができる。しかも、このように上面カバー２１を施蓋した際には、図３に示すように各硬質ロール２５を各弾性吸水ロール３７に圧接させて２ｍｍ程度押し込まれることになる。また、その際、大径歯車３０は、弾性吸水ロール３７が備える従動歯車４０と噛合する。
【００３９】
このようにして準備が整った後は、モータ２７のスイッチを入れて回転軸２８および駆動歯車２９を強制回転させる。該駆動歯車２９には、大径歯車３０が噛合しているので従動回転し、該大径歯車３０と噛合している従動歯車４０も従動回転するに至る。
【００４０】
しかも、該従動歯車４０は、一方の弾性吸水ロール３７と同軸となって連結されているので、一対の弾性吸水ロール３７，３７も内側に送り込むように回転し、上面カバー２１が備える各硬質ロール２５も従動回転するに至る。
【００４１】
このとき、硬質ロール２５は、弾性吸水ロール３７よりもその外径が小径に形成され、かつ、溝２６を備えていることから、弾性吸水ロール３７に対する圧接位置をずらしながら２ｍｍ程度押し込みつつ回転するので、洗浄液Ｌ中で手もみ洗いにも似た洗浄力を発揮させることができることになる。
【００４２】
また、従動歯車４０は、遊び歯車４２を介して従動歯車４１を強制回転させ、該従動歯車４１と同軸となって連結されている一方の弾性吸水ロール３８を回転させ、他方の弾性吸水ロール３８と対となって内側に送り込むように回転するとともに、洗浄ボックス１１が備える各硬質ロール１７も従動回転するに至る。
【００４３】
このとき、硬質ロール１７は、弾性吸水ロール３８よりもその外径が小径に形成され、かつ、溝１８を備えていることから、弾性吸水ロール３８に対する圧接位置をずらしながら２ｍｍ程度押し込みつつ回転するので、洗浄液Ｌ中で手もみ洗いにも似た洗浄力を発揮させることができることになる。
【００４４】
かくして、洗浄を終えた後は、モータ２７のスイッチを切ってその動きを停止させた後、止着具５４を外して上面カバー２１を開け、除液ユニット３１を取り出してその作業を終了する。なお、洗浄液Ｌは、ノズル２０を介して外部へと円滑に排出することができる。また、モータ２７は、カバー本体部２２と支台部２３との連結を解消してカバー本体部２２のみを上側のヒンジ５２を介して引き上げることで表出させることができるので、そのメンテナンス作業も容易に行うことができる。
【００４５】
以上は、本考案を図示例に基づいて説明したものであり、その具体的な内容は、本考案の要旨を逸脱しない限り、種々の変形を加えることができる。例えば、硬質ロールは、所望により弾性吸水ロールよりも外径を大径にしたり、場合によっては同径にするなどして形成することができる。また、硬質ロールの周面に形成される溝は、手もみ洗いにも似た洗浄力を発揮させることができる図示例以外の適宜の形状を付与して形成することもできる。さらに、洗浄ボックス内には、ヒータを配設しないで用いることもできる。
【産業上の利用可能性】
【００４６】
本発明は、コイン洗浄装置が備える除液ユニットのほか、汚れが付着する各種の弾性吸水ロールの洗浄にも適用することができる。
【図面の簡単な説明】
【００４７】
【図１】本考案の一例につき、除液ユニットを定置させる際の相互の位置関係を左側斜め上方から示す斜視図。
【図２】図１と対応させて示すた右側面図。
【図３】除液ユニットを定置させた際の状態を図２に対応させて示す縦断面図。
【図４】施蓋時の全体形状を一部を切り欠いて示す正面図。
【符号の説明】
【００４８】
１１  洗浄ボックス
１１ａ  上面開口部
１２  ボックス本体部
１３  囲枠部
１４  垂直前溝部
１５  垂直後溝部
１６  支杆
１７  硬質ロール
１８  溝
１９  底板部
２０  ノズル
２１  上面カバー
２２  カバー本体部
２３  支台部
２４  垂下板
２５  硬質ロール
２６  溝
２７  モータ
２８  回転軸
２９  駆動歯車
３０  大径歯車
３１  除液ユニット
３２  垂直板
３２ａ  下端面
３３  前端ガイド部
３４  後端ガイド部
３５，３６  支軸
３７，３８  弾性吸水ロール
３９  連結杆
４０，４１  従動歯車
４２遊び歯車
４３  スキージーロール
４４ガイド板
５１  のぞき窓
５２  ヒンジ
５３  把手
５４  止着具
５５  油圧アッパー
Ｌ  洗浄液
ＬＨ  液面高さ
【図１】
0003135180.tif 000003
【図２】
0003135180.tif 000004
【図３】
0003135180.tif 000005
【図４】
0003135180.tif 000006